(57)【要約】【課題】高補償力及び低放熱を同時に達成できる、能動的な防振システムのための一般的に使用できる防振装置を提供すること。【解決手段】固定防振システムのための防振装置が、水平方向及び垂直方向に効果的であり、少なくとも１つの空気圧式アクチュエータを含む。【選択図】図１
2017227331.tif 000002
【特許請求の範囲】
【請求項１】
固定防振システム（４０）のための防振装置（１）であって、水平方向及び垂直方向に効果的であり、少なくとも１つの空気圧式アクチュエータ（１０、１１）を備える、防振装置（１）。
【請求項２】
前記防振装置（１）は、ばねを備える、請求項１に記載の防振装置（１）。
【請求項３】
前記ばねは、空気ばねである、請求項２に記載の防振装置（１）。
【請求項４】
前記空気圧式アクチュエータ（１０）は、前記空気ばねのピストン（２）の周囲に環状に延在する、請求項３に記載の防振装置（１）。
【請求項５】
前記空気圧式アクチュエータ（１０）は、前記空気ばねの作動空間（３）内に配置される、請求項３又は４に記載の防振装置（１）。
【請求項６】
前記空気圧式アクチュエータ（１０）のピストン（１５）は、互いに間隔を空けた少なくとも２つの板ばねによって軸方向に導かれる、請求項１から５のいずれか一項に記載の防振装置（１）。
【請求項７】
さらに、空気ばねのピストン（２）は、互いに間隔を空けた少なくとも２つの板ばねによって軸方向に導かれる、請求項１から６のいずれか一項に記載の防振装置（１）。
【請求項８】
前記空気圧式アクチュエータ（１０）は、２つの空間方向において効果的である、請求項１から７のいずれか一項に記載の防振装置（１）。
【請求項９】
前記防振装置（１）は、水平方向に効果的な１つのアクチュエータ（１０）と、垂直方向に効果的な１つのアクチュエータ（１１）とを備える、請求項１から８のいずれか一項に記載の防振装置（１）。
【請求項１０】
固定防振システムのための、特に請求項１から９のいずれか一項に記載の防振装置（１）のための空気圧式アクチュエータ（１０）であって、内部にピストン（１５）が配置される環状の作動空間を備える、空気圧式アクチュエータ（１０）。
【請求項１１】
前記ピストン（１５）は、前記作動空間の壁部から間隙（２８）によって離間する、請求項１０に記載の空気圧式アクチュエータ（１０）。
【請求項１２】
前記ピストン（１５）は、前記作動空間を２つの圧力室（２６ａ、２６ｂ）に分割する、請求項１０又は１１に記載の空気圧式アクチュエータ（１０）。
【請求項１３】
前記作動空間は、少なくとも１つの膜（１８ａ、１８ｂ）によって密封される、請求項１１又は１２に記載の空気圧式アクチュエータ（１０）。
【請求項１４】
能動的な防振システム（４０）であって、請求項１から１３のいずれか一項に記載の少なくとも１つの防振装置（１）及び／又は少なくとも１つの空気圧式アクチュエータ（１０）を備える、能動的な防振システム（４０）。
【請求項１５】
能動的な防振システム（４０）であって、空気圧式アクチュエータ（１０）を制御する制御ループを有し、該制御ループは、前記空気圧式アクチュエータの作動空間内の圧力を測定する圧力センサ、又は前記空気圧式アクチュエータがもたらす力を測定する力センサを備える、能動的な防振システム（４０）。
【発明の詳細な説明】
【技術分野】
【０００１】
本発明は、固定防振システム（ｓｔａｔｉｏｎａｒｙ  ｖｉｂｒａｔｉｏｎ  ｉｓｏｌａｔｉｏｎ  ｓｙｓｔｅｍ）のための防振装置に関する。具体的には、本発明は、能動的な防振のためのアクチュエータを含む、空気ばねとして実装される防振装置に関する。
【０００２】
とりわけ、本発明は、半導体デバイス加工のためのリソグラフィシステム及び／又は度量衡システムを防振的に支持するために使用する、固定された、すなわち動かないように設置された防振システムに関する。
【０００３】
さらに、本発明は、固定防振システムのための空気式アクチュエータにも関する。
【０００４】
本出願は、２０１６年６月２３日に出願された欧州特許出願第１６１７５９１０．５号の優先権を主張するものであり、この文献の開示はその全体が引用により組み入れられる。
【背景技術】
【０００５】
通常、とりわけ半導体加工のためのリソグラフィ装置又は度量衡装置を支持するために使用されるような固定防振システムは、複数の防振装置上に取り付けられたテーブルで構成される。
【０００６】
慣例からは、とりわけ地震性振動、又は防振すべき負荷（機械）によって生じる振動を相殺する能動的な制御システムを備えた能動的な防振システムが知られている。例えば、床上及び／又は防振すべき負荷上に配置されたセンサを用いて振動を測定することができる。取得された測定値を制御装置が使用して、能動的な防振のためのアクチュエータを駆動するために使用される補償信号を能動的に生成する。慣例では、空気圧式又は機械式（例えば、コイルばね）防振装置内又はこのような装置上に配置された、主に磁気によるアクチュエータを用いて対抗力を生じさせる。
【０００７】
加工する半導体デバイスのサイズと共に、この目的で使用するシステムのサイズも増加する。従って、アクチュエータがもたらす必要のある反力はますます大きくなり、これによって電動アクチュエータの使用はさらに困難になる。この結果、磁気的原理に従って動作する複数のアクチュエータを１つの作用方向に並列に接続することが必要になる。このことは、利用可能な設置空間が制限されることに起因して、用途によっては複雑又は不可能である。磁気アクチュエータの使用は、アクチュエータからの常に存在する放熱によってさらに制限される。
【０００８】
確かに、磁気アクチュエータを駆動する必要性は、防振システムの空気圧レベルの制御を能動的な防振に組み込むことによって低下させることができる。しかしながら、このことは、必ずしも上述した短所を排除するのに十分ではない。
【０００９】
特許文献１（Ｉｎｔｅｇｒａｔｅｄ  Ｄｙｎａｍｉｃｓ  Ｅｎｇｉｎｅｅｒｉｎｇ社）には、コイルばねを備えた機械的な防振装置が開示されている。
【００１０】
特許文献２（Ｉｎｔｅｇｒａｔｅｄ  Ｄｙｎａｍｉｃｓ  Ｅｎｇｉｎｅｅｒｉｎｇ社）には、交換可能な板ばねアセンブリを通じて適合できる特性を有する空気ばねを備えるとともに、水平方向に防振効果をもたらす屈曲ペンデュラムを備えた防振装置が開示されている。
【先行技術文献】
【特許文献】
【００１１】
【特許文献１】欧州特許出願公開第２７５９７３６号明細書
【特許文献２】欧州特許出願公開第２９９８６１１号明細書
【発明の概要】
【発明が解決しようとする課題】
【００１２】
本発明は、この背景に鑑み、先行技術の短所を軽減するという目的に基づくものである。
【００１３】
具体的には、本発明は、高補償力と低放熱とを同時に達成できる、能動的な防振システムのための一般的に使用できる防振装置を提供するものである。
【課題を解決するための手段】
【００１４】
本発明の目的は、独立請求項のいずれか１項に記載の、固定防振システムのための防振装置及び空気圧式アクチュエータによって既に達成されている。
【００１５】
従属請求項の主題、明細書及び図面からは、本発明の好ましい実施形態及び改善が明らかになる。
【００１６】
本発明は、固定防振システムのための防振装置に関する。具体的には、本発明は、半導体デバイスの加工機械、とりわけリソグラフィ装置又は度量衡装置が防振的に取り付けられた防振システムのための防振装置に関する。
【００１７】
通常、このような防振システムは、床に対する防振性を有する少なくとも３つの防振装置上に配置されたプレートを含む。
【００１８】
防振装置は、水平方向及び垂直方向に効果的であり、すなわち床に対する分離（ｄｅｃｏｕｐｌｉｎｇ）が水平方向にも垂直方向にももたらされる。
【００１９】
この目的のために、防振装置は、ばねを含むことが好ましい。具体的に言えば、防振装置は、少なくとも垂直方向に効果的なばねを含む。
【００２０】
このばねは、とりわけ空気ばねとして構成することができる。
【００２１】
本発明の１つの実施形態では、空気ばねが垂直方向のみに効果的である一方で、水平方向の分離のためにさらなる構成部品、特に屈曲ペンデュラムが設けられる。
【００２２】
本発明によれば、防振装置は、少なくとも１つの空気圧式アクチュエータを含む。
【００２３】
従って、防振装置は、振動を能動的に低減するための補償力を空気圧式アクチュエータによって生成できる能動的な防振システムでの使用が意図される。
【００２４】
この場合、アクチュエータは、防振的に支持された負荷を床から分離するためには使用されず、対抗力を生じるために補償力のみを生成することが好ましい。
【００２５】
上述した先行技術とは対照的に、この補償力を生じるアクチュエータは、空気圧式アクチュエータとして実装される。空気圧式アクチュエータを用いた場合でも、高対抗力を生み出せることが分かっている。同時に、電気的に動作するアクチュエータに比べて、放熱も大幅に低減される。
【００２６】
本発明の１つの実施形態では、空気圧式アクチュエータが、空気ばねのピストンの周囲に環状に延在する。
【００２７】
空気圧式アクチュエータの作動空間、すなわち空気圧式アクチュエータのピストンによって力を生じる圧容量も、防振的に支持された負荷を床から分離する役割を果たす空気ばねの一部である防振装置のピストンの周囲に環状に延在することが好ましい。
【００２８】
従って、空気圧式アクチュエータは、防振装置の一体部品である。これにより、とりわけコンパクトな設計が可能になる。
【００２９】
空気圧式アクチュエータは、とりわけ空気ばねの作動空間内に配置することができる。
【００３０】
好ましい実施形態では、空気圧式アクチュエータのピストンが、互いに間隔を空けた少なくとも２つの板ばねによって導かれる。
【００３１】
とりわけ、空気圧式アクチュエータのピストンと隣接する作動空間の壁部との間に、通常の動作状態中に隣接する作動空間の壁部にピストンが係合しないような十分な幅の間隙を設けることが検討される。
【００３２】
このようにして、ピストンと隣接する壁部との間に振動を引き起こす可能性のあるあらゆる摩擦力が生じるのを防ぐ。
【００３３】
防振装置の空気ばねのピストンも、互いに間隔を空けた少なくとも２つの板ばねによって軸方向に導かれることが好ましい。
【００３４】
従って、この実施形態によれば、空気圧式アクチュエータ及び空気ばねの両方が１つの空間方向のみに、好ましくは垂直方向のみに効果的であることが検討される。防振装置のピストン及び空気圧式アクチュエータのピストンを軸方向に導くために、互いに間隔を空けた板ばねを設け、各ピストンを、これらの板ばねを通じて防振装置の基部、すなわち防振装置の底部に、２つのピストンが軸方向にしか変位できない形で結合する。
【００３５】
本発明のさらなる実施形態では、空気圧式アクチュエータが、２つの空間方向に効果的である。この目的のために、とりわけ、ピストンがアクチュエータの作動空間を２つの圧力室に分割することが検討される。
【００３６】
従って、ピストンは、それぞれの圧力室内に流体を導入することによって２つの対向する方向に変位することができる。
【００３７】
本発明のさらなる実施形態では、防振装置が、水平方向に効果的なアクチュエータと、垂直方向に効果的なアクチュエータとを含む。
【００３８】
両アクチュエータは、空気圧式アクチュエータとして実装されることが好ましい。従って、垂直方向及び水平方向の両方に補償力を生じることができる。
【００３９】
垂直方向に効果的な空気圧式アクチュエータは、ばねの、具体的には空気ばねの作用軸（ｅｆｆｅｃｔｉｖｅ  ａｘｉｓ）と実質的に一致する作用軸を有することが好ましい。このようにすると、垂直方向に補償力が生じている最中にシステムに回転力が導入されなくなる。
【００４０】
さらに、本発明は、固定防振システムのための空気圧式アクチュエータにも関する。空気圧式アクチュエータは、とりわけ上述したような防振装置における使用が意図される。
【００４１】
本発明によれば、この空気圧式アクチュエータは、内部にピストンが配置される環状の作動空間を含む。
【００４２】
空気圧式アクチュエータは、環状の構成を有することにより、一方では、例えばばねの構成部品などの防振装置の構成部品がアクチュエータ内に延在するようにすることができる。
【００４３】
他方では、これによって空気圧式アクチュエータの作用軸と防振装置のばねの作用軸とを単純にまとめる（ｃｏｌｌｏｃａｔｅ）ことができる。
【００４４】
空気圧式アクチュエータは、好ましくは作動空間の壁部から間隙によって離間したピストンを含む。
【００４５】
本発明の１つの実施形態によれば、作動空間が２つの圧力室に分割される。従って、圧力室によって定められる２つの作動室を設けることにより、空気圧式アクチュエータを単純に２つの対向する方向において効果的になるように設計することができる。
【００４６】
作動空間又は２つの圧力室は、少なくとも１つの膜によって閉鎖されることが好ましい。
【００４７】
従って、作動空間は、作動空間内で動くピストンによってではなく柔軟な膜によって密封される。これにより、いずれの構成部品間にも摩擦接触が存在しないので、作用方向における剛性をとりわけ低くすることができる。同時に、構成部品が相対的に摺動することに起因する振動の発生が避けられる。
【００４８】
さらに、本発明は、上述した少なくとも１つの防振装置及び／又は上述した少なくとも１つの空気圧式アクチュエータを備えた能動的な防振システムにも関する。
【００４９】
通常、能動的な防振システムは、床の振動及び／又は防振的に支持された負荷の振動を検出するセンサを含む。これらのセンサは、補償力を生じるためにアクチュエータを制御する制御装置に接続される。
【００５０】
このような補償力は、システム内に延在する床の振動を相殺できるとともに、例えば可動部品を有する機械などの、防振的に支持された負荷の部品によって生じる振動を低減することもできる。
【００５１】
１又は２以上の空気圧式アクチュエータを制御するために、制御装置によって駆動される空気弁が設けられる。
【００５２】
空気流体の圧縮性に起因して、空気圧式アクチュエータ内に導入される流体の体積は生成される力に比例しないので、本発明の１つの実施形態によれば、空気圧式アクチュエータを制御する制御ループに圧力センサを統合し、このセンサによって空気圧式アクチュエータの作動空間内の、とりわけ圧力室内の圧力を測定することが検討される。このような圧力センサを使用すると、単純に比例性を達成することができる。
【００５３】
或いは、空気圧式アクチュエータがもたらす力を直接測定する力センサを使用することも考えられる。
【図面の簡単な説明】
【００５４】
【図１】本発明による防振装置の例示的な実施形態の断面図である。
【図２】防振装置の斜視図である。
【図３】防振装置に使用する空気圧式アクチュエータの斜視図である。
【図４】図３に示すアクチュエータの分解図である。
【図５】アクチュエータの断面図である。
【図６】図５の詳細を示す図である。
【図７】ハウジングの一部と、作動室を密封する膜とを省略したアクチュエータの斜視図である。
【図８】防振装置内に設置されたアクチュエータを示す細部の断面図である。
【図９】防振装置の作動空間内に存在する構成部品の分解図である。
【図１０】防振装置の作動空間内に配置された構成部品の斜視図である。
【図１１】水平方向に補償力を生じるように設けられる別のアクチュエータの分解図である。
【図１２】防振システムの概略図である。
【発明を実施するための形態】
【００５５】
以下、図１〜図１２の図面に示す例示的な実施形態を参照しながら本発明の主題をさらに詳細に説明する。
【００５６】
図１は、本発明による防振装置１の１つの実施形態の断面斜視図である。
【００５７】
防振装置１は、この例示的な実施形態ではプレートの形で設けられる、設置状態において防振すべき負荷の一部である上部５を含む。
【００５８】
上部５は、設置状態において床に接続される基部６に対して防振的に取り付けられる。
【００５９】
この目的のため、この例示的な実施形態では、防振装置１は空気ばねを含む。
【００６０】
圧縮空気を導入できる空気ばねの作動空間３が見える。
【００６１】
作動室３を通じてピストン２が支持され、これによって垂直方向の防振がもたらされる。
【００６２】
作動室３は、膜４５によって閉鎖される。
【００６３】
ピストン２は、互いに間隔を空けた２つの板ばねアセンブリ８、９によって軸方向に導かれる。
【００６４】
水平方向の防振効果をもたらすために、ピストン２は、屈曲ペンデュラム４を通じて上部５に接続される。
【００６５】
この実施形態では、コンパクトな構成を実現するために、屈曲ペンデュラム４がピストン２の凹部７内に位置する。
【００６６】
防振装置１は、垂直方向に効果的であり、補償力を生じることができる空気圧式アクチュエータ１０をさらに含む。
【００６７】
空気圧式アクチュエータ１０は、環状構成を有し、空気ばねの作動空間３内に位置する。
【００６８】
さらに、空気圧式アクチュエータ１０は、２つの板ばねアセンブリ８、９間に位置する。
【００６９】
水平方向の補償力を生じるために、空気ばねの作動空間３のハウジング４６に隣接して位置する少なくとも１つのさらなる空気圧式アクチュエータ１１が設けられる。
【００７０】
図２は、図１に示す防振装置の斜視図である。
【００７１】
ここでは、とりわけ水平方向の対抗力を生じるために使用される空気圧式アクチュエータ１１が見える。
【００７２】
図示のように、空気圧式アクチュエータ１１からは、拡張部１３が突出する。拡張部１３がピストン又はピストンの一部に接続されることによって対抗力が生じる。
【００７３】
ピストンは、屈曲ロッド１２を通じて上部５のブラケット１４に接続される。
【００７４】
屈曲ロッド１２は、アクチュエータ１１を、その作用方向に対して横向きに分離する役割を果たす。
【００７５】
ここで見える拡張部１３は、空気圧式アクチュエータ１１のハウジングから横向きに突出する。ハウジング内にはさらなる拡張部が配置され、この例では、空気圧式アクチュエータ１１のハウジングの開口部を通って屈曲ロッドが延在する。
【００７６】
図３は、図１に示す空気圧式アクチュエータ１０の斜視図である。
【００７７】
空気圧式アクチュエータ１０は環状構成を有し、軸方向に移動可能なピストン１５が内部に配置されるハウジング１６で構成される。
【００７８】
図４は、図３に示す空気圧式アクチュエータの分解図である。
【００７９】
図示のように、ハウジングは、３つの部品、すなわちハウジング上部１６ａと、ハウジング中間部１６ｂと、ハウジング下部１６ｃとで構成される。
【００８０】
このように定められたハウジング内には、この例示的な実施形態では拡張部２５ａ及び２５ｂが固定されるピストン中間部１７で構成されたピストンが配置される。
【００８１】
拡張部２５ａ及び２５ｂは、防振すべき負荷に接続することができ、（部品１６ａ〜１６ｃで構成された）ハウジングは、基部に結合される。
【００８２】
ここに示す空気圧式アクチュエータ１０は、２つの対向する方向において効果的である。
【００８３】
この目的のために、ピストン又はピストン中間部１７は、作動空間を２つの圧力室に分割する。
【００８４】
圧力室は、それぞれ膜１８ａ、１８ｂによって密封されることにより、この例示的な実施形態では、ハウジング上部１６ａと膜１８ａとの間に１つの圧力室が設けられ、ハウジング下部１６ｃと膜１８ｂとの間に他の圧力室が設けられるようになる。
【００８５】
膜１８ａ、１８ｂは、ピストン又はピストン中間部１７に接続される。
【００８６】
この目的のために、それぞれのクランプリング１９ａ、１９ｂが意図される。
【００８７】
従って、クランプリング１９ａ及び１９ｂは、それぞれ圧力室内に位置する。
【００８８】
クランプリング１９ａ及び１９ｂは、ねじ２１ａ及び２１ｂによってピストン又はピストン中間部１７に固定されることにより、それぞれの膜１８ａ、１８ｂを固定する。クランプリング１９ａ及び１９ｂに対向して配置されたクランプリング２２ａ、２２ｂが、それぞれの膜１８ａ、１８ｂを、ハウジング、又はハウジング上部１６ａ及びハウジング下部１６ｃにそれぞれ固定する。
【００８９】
この例示的な実施形態では、ハウジング上部１６ａ及びハウジング下部１６ｃが、ねじ２０ａ及び２０ｂによってハウジング中間部１６ｂに接続される。
【００９０】
さらに、別の環状配列のねじ２３ａ、２３ｂも設けられる。ねじ２３ａ及び２３ｂは、ねじ式スリーブ２４にねじ込まれることにより、ハウジング上部１６ａとハウジング下部１６ｃとを接続する。
【００９１】
ねじ式スリーブ２４は、ピストン又はピストン中間部１７のボアを通って延在し、これらのボアは、ねじ式スリーブ２４がピストン内でピストンのボアに当接しないほどの隙間を有するように十分に大きい。
【００９２】
ねじ２３ａ及び２３ｂとねじ式スリーブ２４とによって生じるさらなる接続は、ハウジング部品同士の最適な表面接触圧に役立つ。この接続は、省略することもできると理解されるであろう。
【００９３】
膜１８ａ及び１８ｂは、ハウジング上部１６ａとハウジング下部１６ｃとを同時にハウジング中間部１６ｂから密封する役割を果たす。
【００９４】
空気圧式アクチュエータ１０は、作動空間に圧縮空気を供給するための流体供給部をさらに有すると理解されるであろう。
【００９５】
図５は、上述した空気圧式アクチュエータ１０の断面図である。
【００９６】
環状のピストン１５が見える。
【００９７】
さらに、空気圧式アクチュエータ１０は、例えば防振装置の構成部品が延在することができる中心通路２７を有していることが分かる。
【００９８】
図６は、図５の詳細図である。
【００９９】
ピストン１５は、隣接するハウジング壁部から間隙２８によって離間していることが分かる。
【０１００】
圧力室２６ａ及び２６ｂは、膜１８ａ、１８ｂによって密封される。
【０１０１】
さらに、圧力室２６ａ、２６ｂによって定められる作動空間は、非常に狭いことが分かる。アクチュエータは空気ばねとして使用されず、対抗力を生じる役割しか果たさないので、この空気圧式アクチュエータにとっては、具体的には１０ｃｍ３未満の、好ましくは５ｃｍ３未満の非常に狭い作動空間で十分である。
【０１０２】
空気ばねを防振要素として使用する場合、空気圧式アクチュエータの作動空間の体積（圧力室の体積の合計）は、空気ばねの作動空間の体積の最大で１／５であることが好ましく、最大で１／１０であることがさらに好ましい。
【０１０３】
図７は、ハウジング上部と上部作動室を密封する膜とを省略した空気圧式アクチュエータの斜視図である。
【０１０４】
この図では、ピストン１５に膜（省略）を固定するために使用するクランプリング１９ａが見える。
【０１０５】
さらに、ハウジング上部とハウジング下部とを接続するために使用される、ピストン１５のボア２９内に間隙を伴って配置されたねじ式スリーブ２４も見える。
【０１０６】
図８は、防振装置の別の断面図である。
【０１０７】
防振装置の空気ばねのピストン２の周囲に延在する空気圧式アクチュエータ１０の環状ピストン１５が見える。
【０１０８】
ピストン１５は、ピストン２に接続される。
【０１０９】
従って、ピストン２を含む空気ばねの作用軸と、空気圧式アクチュエータ１０の作用軸とは一致する。
【０１１０】
さらに、互いに間隔を空けて、間に空気圧式アクチュエータ１０が配置された板ばねアセンブリ８及び９も見える。
【０１１１】
ピストン１５は、ピストン２にしっかりと接続されるので、空気圧式アクチュエータのピストン２及びピストン１５は、いずれも板ばねアセンブリ８及び９の間隔を空けた板ばねによって軸方向に導かれる。
【０１１２】
図９は、設置状態において空気ばねの作動空間内に配置される構成部品の分解斜視図である。
【０１１３】
ピストン２に接続された屈曲ロッド４が見える。
【０１１４】
さらに、上部板ばねアセンブリ９の板ばね３１と、下部板ばねアセンブリ８の板ばね３０とが、いずれも環状セグメントで構成されていることが分かる。
【０１１５】
空気圧式アクチュエータ１０は、板ばねアセンブリ８、９間に単純に取り付けることができる。
【０１１６】
ピストン１５は、ピストン２と、板ばねアセンブリ８及び９とに接続される。
【０１１７】
図１０には、図９に示す構成部品を組み立てた状態を示す。
【０１１８】
図示のように、空気圧式アクチュエータ１０は、ピストン２を含む空気ばねの内側部分の一体部品であり、空気圧式アクチュエータ１０からは、防振すべき負荷に結合される屈曲ペンデュラム４が突出する。
【０１１９】
図１１は、水平方向の補償力を生じる役割を果たす、図１に示すさらなる空気圧式アクチュエータ１１の分解図である。
【０１２０】
空気圧式アクチュエータ１１は、設置状態において作動空間を両半分に分割するピストン３２が収容される、ハウジング上部３３ａ及びハウジング下部３３ｂを含むハウジングを有することが分かる。
【０１２１】
ここでは、圧力室を密封してピストン３２に接続される膜３６が見える。
【０１２２】
ハウジング上部３３ａも同様に設計され、やはり膜によって密封された圧力室を含み、その結果、アクチュエータ１１も２つの対向する方向において効果的になる。
【０１２３】
さらに、ピストン３２は、防振すべき負荷に空気圧式アクチュエータ１１を接続する、屈曲ロッド（図２の１２）を取り付けることができる３つの拡張部３４ａ〜３４ｃを有することが分かる。
【０１２４】
拡張部３４ｂは、ハウジングから外に突出する。
【０１２５】
拡張部３４ａ及び３４ｃに取り付けられる屈曲ロッドは、設置状態においてハウジング内のボア３５を通って延在する。
【０１２６】
図１２は、上述した防振装置１を取り付けた防振システム４０の概略図である。
【０１２７】
防振システム４０は、防振のために複数の防振装置１によって支持されて床３９に取り付けられたプレート４４を含む。
【０１２８】
この例示的な実施形態では、床の振動を検出するセンサ３７が設けられるとともに、防振すべき負荷の振動を検出するセンサ３８も設けられる。
【０１２９】
これらのセンサの信号は制御装置４１に送られ、これによって制御装置４１は、防振装置１に組み込まれた空気圧式アクチュエータ１０、１１を駆動する空気弁４２、４３を制御する。
【０１３０】
空気圧式アクチュエータ１０、１１は、センサ信号に基づいて水平及び垂直の両方向の補償力を生じる。
【０１３１】
ここでは、１つのそれぞれの制御弁しか示していない。
【０１３２】
しかしながら、各空気圧式アクチュエータ１０、１１について両圧力室のための制御弁を設ける必要があると理解されるであろう。
【０１３３】
本発明は、能動的な防振システムにおいて高補償力と低放熱とを同時に生じることができる防振装置を提供することができる。
【符号の説明】
【０１３４】
１  防振装置
２  ピストン
３  作動空間
４  屈曲ペンデュラム
５  上部
６  基部
７  凹部
８  板ばねアセンブリ
９  板ばねアセンブリ
１０  アクチュエータ
１１  アクチュエータ
１２  屈曲ロッド
１３  拡張部
１４  ブラケット
１５  ピストン
１６  ハウジング
１６ａ  ハウジング上部
１６ｂ  ハウジング中間部
１６ｃ  ハウジング下部
１７  ピストン中間部
１８ａ、１８ｂ  膜
１９ａ、１９ｂ  クランプリング
２０ａ、２０ｂ  ねじ
２１ａ、２１ｂ  ねじ
２２ａ、２２ｂ  クランプリング
２３ａ、２３ｂ  ねじ
２４  ねじ式スリーブ
２５ａ、２５ｂ  拡張部
２６ａ、２６ｂ  圧力室
２７  通路
２８  間隙
２９  ボア
３０  板ばね
３１  板ばね
３２  ピストン
３３ａ  ハウジング上部
３３ｂ  ハウジング下部
３４ａ〜３４ｃ  拡張部
３５  ボア
３６  膜
３７  センサ
３８  センサ
３９  床
４０  防振システム
４１  制御装置
４２  弁
４３  弁
４４  プレート
４５  膜
４６  ハウジング
【図１】
2017227331.tif 000003
【図２】
2017227331.tif 000004
【図３】
2017227331.tif 000005
【図４】
2017227331.tif 000006
【図５】
2017227331.tif 000007
【図６】
2017227331.tif 000008
【図７】
2017227331.tif 000009
【図８】
2017227331.tif 000010
【図９】
2017227331.tif 000011
【図１０】
2017227331.tif 000012
【図１１】
2017227331.tif 000013
【図１２】
2017227331.tif 000014
【外国語明細書】
2017227331.tif 000015
2017227331.tif 000016
2017227331.tif 000017
2017227331.tif 000018
2017227331.tif 000019
2017227331.tif 000020
2017227331.tif 000021
2017227331.tif 000022
2017227331.tif 000023
2017227331.tif 000024
2017227331.tif 000025
2017227331.tif 000026
2017227331.tif 000027
2017227331.tif 000028
2017227331.tif 000029
2017227331.tif 000030
2017227331.tif 000031
2017227331.tif 000032
2017227331.tif 000033
2017227331.tif 000034
2017227331.tif 000035
2017227331.tif 000036
2017227331.tif 000037
2017227331.tif 000038
2017227331.tif 000039
2017227331.tif 000040
2017227331.tif 000041
2017227331.tif 000042
2017227331.tif 000043
2017227331.tif 000044
2017227331.tif 000045
2017227331.tif 000046
2017227331.tif 000047
2017227331.tif 000048
2017227331.tif 000049
2017227331.tif 000050
2017227331.tif 000051